(57)【特許請求の範囲】
【請求項１】
複数の症状と複数の漢方薬それぞれの対応関係を示す対応情報が記憶される記憶部と、
前記複数の症状の中から選択された特定症状を取得する症状取得部と、
前記特定症状の第１事前確率と前記特定症状以外の症状の第２事前確率とを前記対応情報に基づいて算出して前記記憶部に記憶する事前確率算出部と、
前記複数の漢方薬のいずれかの組合せで構成される漢方薬群ごとに、前記特定症状が生起したときに前記漢方薬群を構成するそれぞれの漢方薬が処方される第１条件付確率と、前記特定症状以外の症状が生起したときに前記漢方薬群を構成するそれぞれの漢方薬が処方される第２条件付確率と、を前記対応情報に基づいて算出する条件付確率算出部と、
前記漢方薬群ごとに、前記記憶部に記憶されている前記第１事前確率と前記第２事前確率と前記第１条件付確率と前記第２条件付確率とに基づいて事後確率を算出して前記記憶部に記憶する事後確率算出部と、
前記記憶部に記憶されている前記漢方薬群ごとの事後確率のうち所定の条件に該当する所定事後確率を特定し、前記漢方薬群のうち前記所定事後確率に対応する所定漢方薬群を特定し、前記所定漢方薬群を構成する漢方薬のうち所定の条件に該当する所定漢方薬を特定して出力する漢方薬出力部と、
を有してなる、
ことを特徴とする情報処理装置。
【請求項２】
前記記憶部には、事後確率基準値が記憶され、
前記漢方薬出力部は、前記事後確率と、前記事後確率基準値と、の比較結果に基づいて前記所定事後確率を特定する、
請求項１記載の情報処理装置。
【請求項３】
前記特定された所定事後確率が複数のとき、
前記漢方薬出力部は、複数の前記所定漢方薬群において頻出する漢方薬を前記所定漢方薬として特定する、
請求項１または２記載の情報処理装置。
【請求項４】
前記記憶部には、前記漢方薬と前記漢方薬に配合されている生薬との対応関係を示す配合情報が記憶され、
前記配合情報に基づいて前記所定漢方薬に配合されている生薬を特定して出力する生薬出力部、
を備える、
請求項１乃至３のいずれかに記載の情報処理装置。
【請求項５】
前記生薬出力部は、前記所定漢方薬に配合されている生薬ごとに前記所定漢方薬群を構成する生薬における配合内容を特定し、前記配合内容が所定の条件に該当する生薬を所定生薬として特定し、前記所定生薬の配合内容を出力する、
請求項４記載の情報処理装置。
【請求項６】
前記記憶部には、配合内容基準値が記憶され、
前記生薬出力部は、特定された前記所定漢方薬に配合されている生薬ごとに前記所定漢方薬群を構成する生薬における配合内容と、前記配合内容基準値と、の比較結果に基づいて、前記所定生薬を特定する、
請求項５記載の情報処理装置。
【請求項７】
前記生薬出力部が特定する、前記所定漢方薬に配合されている生薬ごとに前記所定漢方薬群を構成する生薬における配合内容は、前記所定漢方薬に配合されている生薬の前記所定漢方薬群を構成する生薬における配合比である、
請求項６記載の情報処理装置。
【請求項８】
前記生薬出力部が特定する、前記所定漢方薬に配合されている生薬ごとに前記所定漢方薬群を構成する生薬における配合内容は、前記所定漢方薬に配合されている生薬の配合量である、
請求項６記載の情報処理装置。
【請求項９】
前記生薬出力部は、前記所定漢方薬に配合されている生薬ごとに配合内容を特定し、前記配合内容が所定の条件に該当する生薬を所定生薬として特定し、前記所定漢方薬群における前記所定生薬の配合内容を特定して出力する、
請求項４記載の情報処理装置。
【請求項１０】
前記記憶部には、配合内容基準値が記憶され、
前記生薬出力部は、特定された前記所定漢方薬に配合されている生薬ごとに配合内容と、前記配合内容基準値、との比較結果に基づいて、前記所定生薬を特定する、
請求項９記載の情報処理装置。
【請求項１１】
前記生薬出力部が特定する、前記所定漢方薬に配合されている生薬ごとに配合内容は、前記所定漢方薬に配合されている生薬における配合比である、
請求項１０記載の情報処理装置。
【請求項１２】
前記生薬出力部が特定する、前記所定漢方薬に配合されている生薬ごとに配合内容は、前記所定漢方薬に配合されている生薬における配合量である、
請求項１０記載の情報処理装置。
【請求項１３】
コンピュータを、請求項１乃至１２のいずれかに記載の情報処理装置として機能させることを特徴とする情報処理プログラム。
【請求項１４】
複数の症状と複数の漢方薬それぞれの対応関係を示す対応情報が記憶される記憶部を備える情報処理装置により実行される情報処理方法であって、
前記情報処理装置が、
前記複数の症状の中から選択された特定症状を取得するステップと、
前記特定症状の第１事前確率と前記特定症状以外の症状の第２事前確率とを前記対応情報に基づいて算出して前記記憶部に記憶するステップと、
前記複数の漢方薬のいずれかの組合せで構成される漢方薬群ごとに、前記特定症状が生起したときに前記漢方薬群を構成するそれぞれの漢方薬が処方される第１条件付確率と、前記特定症状以外の症状が生起したときに前記漢方薬群を構成するそれぞれの漢方薬が処方される第２条件付確率と、を前記対応情報に基づいて算出して前記記憶部に記憶するステップと、
前記漢方薬群ごとに、前記記憶部に記憶されている前記第１事前確率と前記第２事前確率と前記第１条件付確率と前記第２条件付確率とに基づいて事後確率を算出して前記記憶部に記憶するステップと、
前記記憶部に記憶されている前記漢方薬群ごとの事後確率のうち所定の条件に該当する所定事後確率を特定し、前記漢方薬群のうち前記所定事後確率に対応する所定漢方薬群を特定し、前記所定漢方薬群を構成する漢方薬のうち所定の条件に該当する所定漢方薬を特定して出力するステップと、
を有してなる、
ことを特徴とする情報処理方法。
【発明の詳細な説明】
【技術分野】
【０００１】
本発明は、症状に対する最適な漢方薬の処方を支援する情報処理装置と情報処理プログラム並びに情報処理方法に関するものである。
【背景技術】
【０００２】
漢方医学は、患者の症状を診て、一般に複数の生薬を配合した漢方薬を処方するものである。一方、西洋医学は、患者の症状を診て病気の原因を追究し、その原因に対する処置を行うものである。このため、西洋医学は診療行為の論理的な説明が可能であるのに対し、漢方医学ではそれが困難であり、医師の経験や知識などに基づく裁量によるところが大きく、その客観的根拠も乏しい。すなわち、漢方薬の処方は不確実性を伴う。そのため、現状では、漢方に精通している限られた医師は、自身の経験等に基づいて生薬を配合して独自の漢方薬を処方する。一方、漢方に精通していない多くの医師は、製薬会社の提供する漢方薬をそのまま処方している。
【０００３】
これまでも、患者の症状などに対する漢方薬の処方を支援することは提案されている（例えば、特許文献１，２参照）。
【先行技術文献】
【特許文献】
【０００４】
【特許文献１】特開平９−２５８８０３号公報
【特許文献２】特開２００１−３５７１３１号公報
【発明の概要】
【発明が解決しようとする課題】
【０００５】
しかし、これまでは、漢方薬の処方の不確実性を客観的に比較するものは存在せず、漢方薬の処方を論理的に支援することができるものは存在しない。
【０００６】
本発明は、以上のような従来技術の問題点を解消するためになされたもので、客観的なデータに基づいて論理的に漢方薬の処方を支援することができる情報処理装置と情報処理プログラム並びに情報処理方法を提供することを目的とする。
【課題を解決するための手段】
【０００７】
本発明は、複数の症状と複数の漢方薬それぞれの対応関係を示す対応情報が記憶される記憶部と、複数の症状の中から選択された特定症状を取得する症状取得部と、特定症状の第１事前確率と特定症状以外の症状の第２事前確率とを対応情報に基づいて算出して記憶部に記憶する事前確率算出部と、複数の漢方薬のいずれかの組合せで構成される漢方薬群ごとに、特定症状が生起したときに漢方薬群を構成するそれぞれの漢方薬が処方される第１条件付確率と、特定症状以外の症状が生起したときに漢方薬群を構成するそれぞれの漢方薬が処方される第２条件付確率と、を対応情報に基づいて算出する条件付確率算出部と、漢方薬群ごとに、記憶部に記憶されている第１事前確率と第２事前確率と第１条件付確率と第２条件付確率とに基づいて事後確率を算出して記憶部に記憶する事後確率算出部と、記憶部に記憶されている漢方薬群ごとの事後確率のうち所定の条件に該当する所定事後確率を特定し、漢方薬群のうち所定事後確率に対応する所定漢方薬群を特定し、所定漢方薬群を構成する漢方薬のうち所定の条件に該当する所定漢方薬を特定して出力する漢方薬出力部と、を有してなることを特徴とする。
【発明の効果】
【０００８】
本発明によれば、論理的に漢方薬の処方を支援することができる。
【図面の簡単な説明】
【０００９】
【図１】本発明にかかる情報処理装置の実施の形態を示すブロック図である。
【図２】上記情報処理装置に記憶される対応情報の例を示す模式図である。
【図３】上記情報処理装置に記憶される症状情報の例を示す模式図である。
【図４】上記情報処理装置に記憶される漢方薬情報の例を示す模式図である。
【図５】上記情報処理装置に記憶される配合情報の例を示す模式図である。
【図６】上記情報処理装置に記憶される生薬情報の例を示す模式図である。
【図７】上記情報処理装置に記憶される配合内容情報の例を示す模式図である。
【図８】本発明にかかる情報処理方法の実施の形態を示すフローチャートである。
【図９】上記情報処理装置が出力する特定症状入力画面の例を示す模式図である。
【図１０】上記情報処理方法に含まれる所定漢方薬の特定・出力処理の例を示すフローチャートである。
【図１１】上記情報処理方法に含まれる所定生薬の特定・出力処理の例を示すフローチャートである。
【図１２】上記情報処理装置が出力する所定漢方薬群出力画面の例を示す模式図である。
【図１３】上記情報処理装置が出力する所定漢方薬出力画面の例を示す模式図である。
【図１４】上記情報処理装置が出力する所定生薬出力画面の例を示す模式図である。
【図１５】上記情報処理方法に含まれる所定生薬の特定・出力処理の別の例を示すフローチャートである。
【図１６】上記情報処理装置が出力する所定生薬出力画面の別の例を示す模式図である。
【発明を実施するための形態】
【００１０】
以下、図面を参照しながら、本発明にかかる情報処理装置と情報処理プログラム並びに情報処理方法の実施の形態について説明する。
【００１１】
本発明は、複数の症状と漢方薬との処方履歴から定める評価値を用いて、数学的基盤の明確な統計的パターン認識理論に基づき、特定の症状に対して有効な漢方薬の処方（創薬）を支援するものである。
【００１２】
一つの漢方薬を定めるためには生薬とその配合を決めなければならない。つまり、どの生薬をどれだけ配合するかで、漢方薬が決まる。製薬会社が製造する漢方薬は予め生薬の配合が決まっているため、その漢方薬の組合せにより、含まれている生薬の配合が一意に定まる。すなわち、製薬会社の製造する漢方薬を対象とする場合、特定の症状に対する生薬の配合問題は、漢方薬の組合せ問題となる。
【００１３】
以下に説明する実施の形態は、生薬の配合が特定されている複数の漢方薬のうち、特定の症状に有効な漢方薬の組合せを特定することにより、その漢方薬の組合せに含まれる生薬の配合を特定する場合を例にして、本発明の内容を説明する。
【００１４】
本発明にかかる情報処理装置は、後述のとおり、過去の漢方薬の処方の履歴データを用いて漢方薬の処方の不確実性を事後確率として数値で表し、この事後確率を用いる統計的パターン認識のＢａｙｅｓ識別則により、特定の症状に対する漢方薬の処方の妥当性の信頼性を向上させている。
【００１５】
●情報処理装置●
図１は、本発明にかかる情報処理装置（以下「本装置」という。）の実施の形態を示すブロック図である。本装置１は、記憶部２と、症状取得部３と、事前確率算出部４と、条件付確率算出部５と、事後確率算出部６と、漢方薬出力部７と、生薬出力部８と、を有してなる。
【００１６】
本装置１は、パーソナルコンピュータなどで実現される。本装置１では、本発明にかかる情報処理プログラム（以下「本プログラム」という。）が動作して、本プログラムが本装置１のハードウェア資源と共働して、後述する本発明にかかる情報処理方法（以下「本方法」という。）を実現する。
【００１７】
なお、図示しないコンピュータに本プログラムを実行させることで、同コンピュータを本装置１と同様に機能させて、同コンピュータに本方法を実行させることができる。
【００１８】
記憶部２は、本装置１が後述する本方法を実行するために必要な情報を記憶する手段である。記憶部２には、処方履歴データベースＤＢ１、症状データベースＤＢ２、漢方薬データベースＤＢ３、配合データベースＤＢ４、生薬データベースＤＢ５や、後述の各種の基準値などが記憶される。
【００１９】
症状取得部３は、ＤＢ２に記憶されている複数の症状の中から選択された特定症状を取得する手段である。症状取得部３は、例えば、本装置１を操作する医師などに本装置１の不図示の入力手段を用いて選択させた症状を、特定症状として取得する。
【００２０】
事前確率算出部４は、事前確率を算出して記憶部２に記憶する手段である。事前確率とその算出方法は、後述する。
【００２１】
条件付確率算出部５は、条件付確率を算出して記憶部２に記憶する手段である。条件付確率とその算出方法は、後述する。
【００２２】
事後確率算出部６は、事後確率を算出して記憶部２に記憶する手段である。事後確率とその算出方法は、後述する。
【００２３】
漢方薬出力部７は、所定漢方薬を特定して記憶部２に記憶する手段である。所定漢方薬とは、漢方薬群のうち所定の漢方薬群を構成する漢方薬であって、後述する所定の条件に該当する漢方薬である。漢方薬群とは、複数の漢方薬のいずれかの組合せで構成される漢方薬の集合（部分集合）である。漢方薬群を構成する漢方薬の数は、１つ以上である。すなわち、漢方薬群には、１つの漢方薬のみで構成されるものも含む。
【００２４】
なお、漢方薬群は、ＤＢ３に記憶されている複数の漢方薬のすべての組合せとしてもよいし、予め設定された数の漢方薬の組合せ、つまり、例えば、漢方薬群を構成する漢方薬の数が「３以下」と設定されていれば（記憶部２に設定数「３以下」が記憶されていれば）、本方法で用いられる漢方薬群は、１つの漢方薬で構成される漢方薬群、２つの漢方薬の組合せで構成される漢方薬群、３つの漢方薬の組合せで構成される漢方薬群、である。
【００２５】
生薬出力部８は、所定生薬を特定して記憶部２に記憶する手段である。所定生薬とは、所定漢方薬に配合されている生薬のうち、後述する所定の条件に該当する生薬である。
【００２６】
●対応情報
図２は、ＤＢ１に記憶される対応情報の例を示す模式図である。
対応情報とは、複数の症状と複数の漢方薬それぞれの対応関係を示す情報である。本実施の形態では、対応情報の例として評価値を用いる。評価値とは、症状に対する漢方薬の評価内容を示す情報（数値）である。ＤＢ１には、症状ＩＤと漢方薬ＩＤと評価値とが関連付けて記憶される。本装置１は、症状ＩＤと漢方薬ＩＤとを用いてＤＢ１を参照することで、その症状ＩＤと漢方訳ＩＤと関連付けてＤＢ１に記憶されている評価値を読み出すことができる。
【００２７】
同図は、例えば、症状ＩＤが「Ｘ１」の症状に対して、漢方薬ＩＤ「Ｙ１」の漢方薬の評価値が「３８」、漢方薬ＩＤ「Ｙ２」の漢方薬の評価値が「０」であることや、症状ＩＤ「Ｘ２」の症状に対して、漢方薬ＩＤ「Ｙ１」の漢方薬の評価値が「３６」、漢方薬ＩＤが「Ｙ２」の漢方薬の評価値が「１」であること、などを示している。
【００２８】
ここで、評価値の算出方法について説明する。
評価値は、例えば、複数の医師に対して実施されたアンケート結果に基づいて算出される。すなわち、例えば、専門分野の異なる複数の医師に対して、その医師の過去の経験や知識などから、症状ごとに処方することが望ましい漢方薬を回答してもらう。回答は、例えば、所定の数値（例えば、７段階評価で評価「１」から「７」のいずれかの数値）を各医師に選択してもらう。各医師からのアンケートの結果を回収して、症状ごとに、各漢方薬の評価値を集計する。症状に対する漢方薬の評価値の合計を、その症状に対するその漢方薬の評価値とする。
【００２９】
●症状情報
図３は、ＤＢ２に記憶される症状情報の例を示す模式図である。
症状情報とは、症状ごとの症状ＩＤや症状名など症状に関する情報である。すなわち、ＤＢ２には、症状ＩＤと症状名などとが関連付けて記憶される。本装置１は、症状ＩＤを用いてＤＢ２を参照することで、その症状ＩＤと関連付けてＤＢ２に記憶されている症状名など症状に関する情報を読み出すことができる。
【００３０】
同図は、例えば、症状ＩＤ「Ｘ１」の症状が「頭痛」であることや、症状ＩＤ「Ｘ２」の症状が「めまい」であることなどを示している。
【００３１】
●漢方薬情報
図４は、ＤＢ３に記憶される漢方薬情報の例を示す模式図である。
漢方薬情報とは、漢方薬ごとの漢方薬ＩＤや漢方薬名など漢方薬に関する情報である。すなわち、ＤＢ３には、漢方薬ＩＤと漢方薬名などとが関連付けて記憶される。本装置１は、漢方薬ＩＤを用いてＤＢ３を参照することで、その漢方薬ＩＤと関連付けてＤＢ３に記憶されている漢方薬名などその漢方薬に関する情報を読み出すことができる。
【００３２】
同図は、例えば、漢方薬ＩＤ「Ｙ１」の漢方薬名が「五苓散」、漢方薬ＩＤ「Ｙ２」の漢方薬名が「加味逍遥散」であることなどを示している。
【００３３】
●配合情報
図５は、ＤＢ４に記憶される配合情報の例を示す模式図である。
配合情報とは、漢方薬ごとの配合されている生薬の配合に関する情報である。同図は、生薬の配合に関する情報として、漢方薬に配合されている生薬の配合量（重量）が用いられている。すなわち、ＤＢ４には、漢方薬ＩＤと生薬ＩＤと配合量とが関連付けて記憶される。本装置１は、漢方薬ＩＤを用いてＤＢ４を参照することで、その漢方薬ＩＤと関連付けてＤＢ４に記憶されている各生薬の配合量、つまり、その漢方薬ＩＤに対応する漢方薬に配合されている各生薬のそれぞれの配合量を読み出すことができる。
【００３４】
同図は、例えば、漢方薬ＩＤ「Ｙ１０」の漢方薬には、生薬ＩＤ「ａ」の生薬が「１０ｍｇ」、生薬ＩＤ「ｂ」の生薬が「９０ｍｇ」、配合されていることを示している。
【００３５】
なお、配合情報は、配合量に限らず、例えば、配合比（漢方薬に配合されている生薬すべての重量に対する各生薬の重量の比）であってもよい。
【００３６】
●生薬情報
図６は、ＤＢ５に記憶される生薬情報の例を示す模式図である。
生薬情報とは、生薬ごとの生薬ＩＤと生薬名など生薬に関する情報である。すなわち、ＤＢ５には、生薬ＩＤと生薬名などの生薬に関する情報とが関連付けて記憶される。本装置１は、生薬ＩＤを用いてＤＢ５を参照することで、その生薬ＩＤと関連付けてＤＢ５に記憶されている生薬名などその生薬に関する情報を読み出すことができる。
【００３７】
同図は、例えば、生薬ＩＤ「ａ」の生薬の生薬名が「生薬ａ」、生薬ＩＤ「ｂ」の生薬の生薬名が「生薬ｂ」であることなどを示している。
【００３８】
●配合内容情報
図７は、本装置１が算出して記憶部２に記憶される配合内容情報の例を示す模式図である。配合内容情報は、本装置１が本方法を実行することで生成される情報であって、その内容や生成方法は、後述する。
【００３９】
●確率●
次に、本発明で利用する事前確率と条件付確率と事後確率について説明する。
【００４０】
●事前確率
症状の事前確率について説明する。
症状の事前確率とは、複数の症状の中で特定症状が生起される確率である。
【００４１】
複数の症状の中で症状ｘｋが生起する確率、つまり、症状ｘｋの事前確率Ｐ（ｘｋ）を、式１のように定義する。
なお、Ｎは症状の数、Ｍは漢方薬の数である。また、症状ｘｋと漢方薬ｙｓの組に対応する評価値をＫ（ｘｋ，ｙｓ）と表す。
【００４２】
【数１】
0005783587.tif 000002
【００４３】
式２は、症状が症状ｘｋでない事前確率である。
【００４４】
【数２】
0005783587.tif 000003
【００４５】
●条件付確率
【００４６】
症状が生起したときに漢方薬が処方される条件付確率について説明する。
症状ｘｋが生起したときに漢方薬ｙｓが処方される条件付確率Ｐ（ｙｓ｜ｘｋ）を、式３のように定義する。
【００４７】
【数３】
0005783587.tif 000004
【００４８】
式４は、生起される症状が症状ｘｋでないときに漢方薬ｙｓが処方される条件付確率である。
【００４９】
【数４】
0005783587.tif 000005
【００５０】
●事後確率
0005783587.tif 000006
【００５１】
事後確率は、特定症状が生起する事象と特定症状が生起しない事象とが排反事象で、かつ、それらの和事象が標本空間であることに注意し、Ｂａｙｅｓの定理を用いて、事前確率と条件付確率とに基づいて算出される。
【００５２】
0005783587.tif 000007
【００５３】
【数５】
0005783587.tif 000008
【００５４】
0005783587.tif 000009
【００５５】
【数６】
0005783587.tif 000010
【００５６】
式６の分母は、式７と式８のように表される。
【００５７】
【数７】
0005783587.tif 000011
【００５８】
【数８】
0005783587.tif 000012
【００５９】
0005783587.tif 000013
【００６０】
【数９】
0005783587.tif 000014
【００６１】
0005783587.tif 000015
【００６２】
●情報処理方法●
次に、本装置１が実行する本方法の実施の形態について説明する。
【００６３】
図８は、本方法の実施の形態を示すフローチャートである。
【００６４】
先ず、本装置１は、特定症状を取得する（Ｓ１）。
図９は、本装置１が特定症状を取得するために不図示のディスプレイに表示する特定症状入力画面Ｍ１の例を示す模式図である。同画面Ｍ１には、プルダウンメニュー形式で、ＤＢ２に記憶されている症状の中から１の症状を選択することができるように構成されている。本装置１は、同画面Ｍ１で選択された症状を特定症状として取得して記憶部２に記憶する。同図は、特定症状として症状「頭痛」が選択されていることを示している。
【００６５】
次いで、本装置１は、事前確率算出部４を用いて、ＤＢ１に記憶されている対応情報に基づいて、特定症状の事前確率を前述の式１により算出し、特定症状以外の症状の事前確率を前述の式２により算出して記憶部２に記憶する（Ｓ２）。
【００６６】
次いで、本装置１は、漢方薬群を特定する（Ｓ３）。
漢方薬群は、ＤＢ３に記憶されている複数の漢方薬の中から組合せを１つずつ選択して特定する。
【００６７】
ここで、ＤＢ３に記憶されている漢方薬の種類が、例えば、漢方薬１、漢方薬２、漢方薬３の３種類の場合、漢方薬群として特定されるのは、「漢方薬１のみ」「漢方薬２のみ」「漢方薬３のみ」「漢方薬１と漢方薬２の組合せ」「漢方薬１と漢方薬３の組合せ」「漢方薬２と漢方薬３の組合せ」「漢方薬１と漢方薬２と漢方薬３の組合せ」の７種類である。本装置１は、この７種類の漢方薬群を、１つずつ、例えば、最初の漢方薬群を特定する処理Ｓ３では「漢方薬１のみ」を漢方薬群として特定し、２回目の漢方薬群を特定する処理Ｓ６では「漢方薬２のみ」を漢方薬群として特定し、・・・、７回目の漢方薬群を特定する処理Ｓ６では「漢方薬１と漢方薬２と漢方薬３の組合せ」を漢方薬群として特定する。本装置１は、８回目の漢方薬群を特定するＳ６では、次の漢方薬群は無い、と判定する。
【００６８】
次いで、本装置１は、条件付確率算出部５を用いて、ＤＢ１に記憶されている対応関係に基づいて、漢方薬群ごとに、特定症状が生起したときに漢方薬群を構成するそれぞれの漢方薬が処方される条件付確率を前述の式３により算出し、特定症状以外の症状が生起したときに漢方薬群を構成するそれぞれの漢方薬が処方される条件付確率を前述の式４により算出して、記憶部２に記憶する（Ｓ４）。
【００６９】
次いで、本装置１は、事後確率算出部６を用いて、漢方薬群ごとに、記憶部２に記憶されている事前確率と条件確率とに基づいて、事後確率を算出して記憶部２に記憶する（Ｓ５）。事後確率は、前述の式９により算出される。
【００７０】
次いで、本装置１は、次の漢方薬群を特定する（Ｓ６）。
次の漢方薬群が存在する場合（Ｓ７のＹｅｓ）、本装置１は、次の漢方薬群に対して、前述の処理Ｓ４からＳ６を実行する。一方、次の漢方薬群が存在しない場合（Ｓ７のＮｏ）、本装置１は、後述の処理Ｓ８を実行する。
【００７１】
次いで、本装置１は、漢方薬出力部７を用いて、所定漢方薬を特定して記憶部２に記憶する（Ｓ８）．
図１０は、所定漢方薬の特定・出力処理（Ｓ８）のフローチャートである。
【００７２】
先ず、本装置１は、事後確率基準値を取得する（Ｓ８１）。
事後確率基準値とは、漢方薬群ごとの事後確率と比較される基準値であって、記憶部２に記憶されている。事後確率基準値は、処理Ｓ８の実行前にあらかじめ記憶部２に記憶されていてもよいし、あるいは、処理Ｓ８の実行の都度、例えば、本装置１を操作する医師などに本装置１の不図示の入力手段を用いて指定させて記憶部２に記憶するようにしてもよい。
【００７３】
次いで、本装置１は、記憶部２に記憶されている漢方薬群ごとの事後確率を取得する（Ｓ８２）。
【００７４】
次いで、本装置１は、記憶部２に記憶されている漢方薬群ごとの事後確率と、事後確率基準値と、の大小を比較する（Ｓ８３）。
【００７５】
次いで、本装置１は、所定事後確率を特定する（Ｓ８４）。
所定事後確率とは、記憶部２に記憶されている漢方薬群ごとの事後確率のうち、事後確率基準値との比較結果が所定の条件に該当する事後確率である。所定の条件は、事後確率基準値よりも大きい事後確率（例えば、事後確率基準値が０．７のとき、０．７より大きい事後確率）であり、事後確率基準値より大きい事後確率を所定事後確率として特定する。
【００７６】
ここで、所定事後確率は、漢方薬群ごとの事後確率のうち、所定の条件に該当するものであり、所定の条件の一例が前述の事後確率基準値との比較結果であるが、本発明における所定事後確率の特定方法は、これに限らない。すなわち、例えば、前述の事後確率基準値を用いることなく、漢方薬群ごとの事後確率のうち最大値のものや上位１番目からＮ番目まで事後確率、などを所定事後確率として特定してもよい。
【００７７】
次いで、本装置１は、所定漢方薬群を特定する（Ｓ８５）。
所定漢方薬群とは、記憶部２に記憶されている漢方薬群のうち、所定事後確率に対応する漢方薬群である。すなわち、所定漢方薬群は、事後確率基準値との比較結果が所定の条件に該当する事後確率に対応する漢方薬群である。
【００７８】
次いで、本装置１は、所定漢方薬群を構成する漢方薬を特定する（Ｓ８６）。
本装置１は、記憶部２に記憶されている漢方薬群のうち、所定漢方薬群に該当する漢方薬群を構成する漢方薬を特定する。
【００７９】
次いで、本装置１は、所定漢方薬を特定する（Ｓ８７）。
所定漢方薬とは、所定漢方薬群を構成する漢方薬のうち、所定の条件に該当する漢方薬である。所定の条件に該当する漢方薬の例としては、例えば、複数の所定漢方薬群のそれぞれを構成する漢方薬のうち頻出または共通する漢方薬である。
【００８０】
図８に戻る。
所定漢方薬を特定した本装置１は、生薬出力部８を用いて、所定生薬を特定して記憶部２に記憶する（Ｓ９）。
【００８１】
●所定生薬の特定方法（その１）
図１１は、所定生薬の特定・出力処理（Ｓ９）のフローチャートである。
【００８２】
先ず、本装置１は、配合内容基準値を取得する（Ｓ９１）。
配合内容基準値とは、所定漢方薬に配合されている生薬ごとに所定漢方薬群を構成する生薬における配合内容と比較される基準値であって、記憶部２に記憶されている。配合内容基準値は、処理Ｓ９の実行前にあらかじめ記憶部２に記憶されていてもよいし、あるいは、処理Ｓ９の実行の都度、例えば、本装置１の操作者に指定させて記憶部２に記憶するようにしてもよい。
【００８３】
ここで、所定生薬は、所定漢方薬群を構成する漢方薬に配合されている生薬のうち、所定の条件に該当するものであり、所定の条件の一例が前述の配合内容基準値との比較結果であるが、本発明における所定生薬の特定方法は、これに限らない。すなわち、例えば、前述の配合内容基準値を用いることなく、所定漢方薬群を構成する漢方薬に配合されている生薬のうち、所定漢方薬群を構成する生薬における配合比が最大値のものや配合量が上位１位からＮ番目までのもの、などを所定生薬として特定してもよい。
【００８４】
次いで、本装置１は、記憶部２に記憶されている所定漢方薬を取得する（Ｓ９２）。
【００８５】
次いで、本装置１は、ＤＢ４を参照して、所定漢方薬に配合されている生薬を特定する（Ｓ９３）。
【００８６】
次いで、本装置１は、特定された生薬ごとに、所定漢方薬群での生薬の配合内容を特定する（Ｓ９４）。
所定漢方薬群での生薬の配合内容は、例えば、所定漢方薬群での配合量の割合（配合比）である。
【００８７】
次いで、本装置１は、生薬の配合内容と配合内容基準値とを比較する（Ｓ９５）。
【００８８】
次いで、本装置１は、所定生薬を特定して記憶部２に記憶する（Ｓ９６）。
【００８９】
ここで、図７に示した配合内容情報を用いて、前述の所定事後確率、所定漢方薬群、所定漢方薬、所定生薬を説明する。
【００９０】
同図は、本装置１が処理Ｓ８において、漢方薬群ごとの事後確率Ｐ１，Ｐ２，・・・を算出したことを示している。同図中、事後確率Ｐ１，Ｐ２のみが、事後確率基準値より大きい値で、所定事後確率であるものとする。
【００９１】
同図は、所定事後確率Ｐ１に対応する所定漢方薬群を構成する漢方薬が「Ｙ１０」「Ｙ１１」であることを示している。すなわち、所定事後確率Ｐ１に対応する所定漢方薬群は「Ｙ１０，Ｙ１１」である。また、所定事後確率Ｐ２に対応する所定漢方薬群は「Ｙ１１，Ｙ１２」である。
【００９２】
同図は、所定事後確率Ｐ１に対応する所定漢方薬群「Ｙ１０，Ｙ１１」に配合されている生薬ごとの所定漢方薬群「Ｙ１０，Ｙ１１」を構成する生薬における配合比が、生薬ＩＤ「ａ」の生薬が「３５％」、生薬ＩＤ「ｂ」の生薬が「４５％」、生薬ＩＤ「ｃ」の生薬が「２０％」であることを示している。また、所定事後確率Ｐ２に対応する所定漢方薬群「Ｙ１１，Ｙ１２」に配合されている生薬ごとの所定漢方薬群「Ｙ１１，Ｙ１２」を構成する生薬における配合比が、生薬ＩＤ「ａ」の生薬が「３０％」、生薬ＩＤ「ｃ」の生薬が「２５％」、生薬ＩＤ「ｄ」の生薬が「１０％」、生薬ＩＤ「ｅ」の生薬が「３５％」であることを示している。
【００９３】
ここで、生薬ごとの配合比の算出方法を、所定事後確率Ｐ１を例に説明する。
所定事後確率Ｐ１に対応する所定漢方薬群を構成する漢方薬は、「Ｙ１０」と「Ｙ１１」である。
漢方薬「Ｙ１０」は、ＤＢ４に示されているように、生薬ＩＤ「ａ」の生薬が「１０ｍｇ」、生薬ＩＤ「ｂ」の生薬が「９０ｍｇ」、配合されている。一方、漢方薬「Ｙ１１」は、ＤＢ４に示されているように、生薬ＩＤ「ａ」の生薬が「６０ｍｇ」、生薬ＩＤ「ｃ」の生薬が「４０ｍｇ」、配合されている。
よって、所定漢方薬群「Ｙ１０，Ｙ１１」に配合されている生薬は、これらを加算して、生薬ＩＤ「ａ」の生薬が「７０ｍｇ」、生薬ＩＤ「ｂ」の生薬が「９０ｍｇ」、生薬ＩＤ「ｃ」の生薬が「４０ｍｇ」である。
したがって、生薬ＩＤ「ａ」の生薬の所定漢方薬群「Ｙ１０，Ｙ１１」を構成する生薬（生薬ＩＤ「ａ」「ｂ」「ｃ」の生薬）における配合比は、３５％（＝７０ｍｇ／（７０ｍｇ＋９０ｍｇ＋４０ｍｇ））である。同様に、生薬ＩＤ「ｂ」の生薬の所定漢方薬群「Ｙ１０，Ｙ１１」を構成する生薬（生薬ＩＤ「ａ」「ｂ」「ｃ」の生薬）における配合比は、４５％（＝９０ｍｇ／（７０ｍｇ＋９０ｍｇ＋４０ｍｇ））である。同様に、生薬ＩＤ「ｃ」の生薬の所定漢方薬群「Ｙ１０，Ｙ１１」を構成する生薬（生薬ＩＤ「ａ」「ｂ」「ｃ」の生薬）における配合比は、２０％（＝４０ｍｇ／（７０ｍｇ＋９０ｍｇ＋４０ｍｇ））である。
【００９４】
図１２は、本装置１が所定漢方薬群を本装置１の操作者に確認させるために不図示のディスプレイに表示する所定漢方薬群出力画面Ｍ２の例を示す模式図である。同図には、所定事後確率ごとの所定漢方薬群、つまり、所定漢方薬群を構成する漢方薬が表示されている。本装置１は、例えば、処理Ｓ８５で画面Ｍ２を表示する。
【００９５】
図１３は、本装置１が所定漢方薬を本装置１の操作者に確認させるために不図示のディスプレイに表示する所定漢方出力画面Ｍ３の例を示す模式図である。同図は、所定漢方薬が「Ｙ１１」であることを示している。本装置１は、例えば、処理Ｓ８７で画面Ｍ３を表示する。
【００９６】
ここで、所定漢方薬の特定方法の例を説明する。
本装置１は、所定事後確率Ｐ１に対応する所定漢方薬群を構成する漢方薬「Ｙ１０」「Ｙ１１」と、所定事後確率Ｐ２に対応する所定漢方薬群を構成する漢方薬「Ｙ１１」「Ｙ１２」のうち、共通する漢方薬「Ｙ１１」を、所定漢方薬として特定している。
【００９７】
図１４は、本装置１が所定生薬を本装置１の操作者に確認させるために不図示のディスプレイに表示する所定生薬出力画面Ｍ４の例を示す模式図である。同図は、所定生薬が「生薬ａ」であることと、１番目の所定漢方薬群「Ｙ１０、Ｙ１１」を構成する生薬における所定生薬「生薬ａ」の配合比が「３５％」であること、２番目の所定漢方薬群「Ｙ１１、Ｙ１２」を構成する生薬における所定生薬「生薬ａ」の配合比が「３０％」であることを示している。この配合比「３５％」「３０％」の算出方法は、前述の計算の例による。本装置１は、例えば、処理Ｓ９６で画面Ｍ４を表示する。
【００９８】
ここで、所定生薬の特定方法の例を説明する。配合内容基準値は「３０％」とする。
本装置１は、ＤＢ４を参照して、所定漢方薬「Ｙ１１」に配合されている生薬（生薬ＩＤ「ａ」の生薬と、生薬ＩＤ「ｃ」の生薬）のうち、所定漢方薬群を構成する生薬における配合比が配合内容基準値以上の生薬ＩＤ「ａ」を、所定生薬として特定している。本装置１は、ＤＢ５を参照して、生薬ＩＤ「ａ」の生薬名「生薬ａ」を読み出して、画面Ｍ４に表示している。
【００９９】
●所定生薬の特定方法（その２）
図１５は、所定生薬の特定・出力処理（Ｓ９）の別の例のフローチャートである。
本例は、所定漢方薬に配合されている生薬のうち、その所定漢方薬における配合内容と配合内容基準値とを比較する点において、所定漢方薬群を構成する生薬における配合内容と配合内容基準値とを比較する前述の例（図１１）と異なる。
【０１００】
すなわち、本例は、所定漢方薬（例えば、漢方薬「Ｙ１１」）が特定されれば、所定漢方薬に配合されている生薬ごとの配合内容（例えば、生薬ａの「６０％」、生薬ｃの「４０％」）と配合内容基準値とを比較することで所定生薬を特定することができる。一方、前述の例（図１１）は、所定漢方薬（例えば、漢方薬「Ｙ１１」）に配合されている生薬（例えば、生薬ａ、生薬ｃ）ごとに、所定漢方薬群（例えば、「Ｙ１０」「Ｙ１１」）を構成する生薬（例えば、「生薬ａ」「生薬ｂ」「生薬ｃ」）における配合内容（例えば、生薬ａの「３５％」、生薬ｃの「２０％」）を特定した上で所定生薬を特定することができる。
【０１０１】
処理Ｓ９１，Ｓ９２，Ｓ９３は、前述の図１１に示した処理と同一である。
【０１０２】
所定漢方薬に配合されている生薬を特定した本装置１は、所定漢方薬での生薬の配合内容（例えば、配合比）を特定する（Ｓ９４ａ）。すなわち、例えば、所定漢方薬が漢方薬「Ｙ１１」のとき、生薬ａの「６０％」（＝６０ｍｇ／（６０ｍｇ＋４０ｍｇ））、生薬ｃの「４０％」（＝４０ｍｇ／（６０ｍｇ＋４０ｍｇ））を特定する。
【０１０３】
次いで、本装置１は、生薬の配合内容と配合内容基準値とを比較する（Ｓ９５ａ）。
【０１０４】
次いで、本装置１は、生薬の配合内容と配合内容基準値との比較結果に基づいて所定生薬を特定して記憶部２に記憶する（Ｓ９６ａ）。すなわち、例えば、配合内容基準値が「３０％」のとき、生薬ａの配合比「６０％」と生薬ｃの配合比「４０％」は配合内容基準値より大きいため、生薬aと生薬ｃとが所定生薬として特定される。
【０１０５】
図１６は、本装置１が所定生薬を本装置１の操作者に確認させるために不図示のディスプレイに表示する所定生薬出力画面Ｍ４ｂの例を示す模式図である。同図は、所定生薬が「生薬ａ」「生薬ｃ」であることと、所定生薬「生薬ａ」の配合比が「６０％」であること、所定生薬「生薬ｃ」の配合比が「４０％」であることを示している。この配合比「３５％」「３０％」の算出方法は、前述の計算の例による。本装置１は、例えば、処理Ｓ９６ａで画面Ｍ４ｂを表示する。
【０１０６】
●数値例●
以下、数値例を用いて本発明を説明する。
特定症状は、症状ＩＤ「１７」の「更年期障害」とする。また、漢方薬は、漢方薬ＩＤ「Ｙ２」の「加味逍遥散」と、漢方薬ＩＤ「Ｙ３」の「桂枝茯苓丸」を考える。すなわち、漢方薬群は、「加味逍遥散」のみと、「桂枝茯苓丸」のみと、「加味逍遥散」と「桂枝茯苓丸」との組合せ、の３種類である。なお、評価値は、図２に示したＤＢ１に記憶されているものを用いる。
【０１０７】
●漢方薬群が「加味逍遥散」のみの場合
症状が「更年期障害」のときに漢方薬「加味逍遥散」を単独で処方する場合の事後確率Ｐ（更年期障害｜加味逍遥散）は、漢方薬「加味逍遥散」を処方する条件のもとでの症状「更年期障害」が生じる確率である。
【０１０８】
症状に対して処方される漢方薬の数（漢方薬群を構成する漢方薬の数）が１の場合の事後確率は、その漢方薬の全症状に対する評価値の総和（漢方薬「加味逍遥散」の全症状に対する評価値「１２１」）に対する、その症状に対する評価値（漢方薬「加味逍遥散」の症状「更年期障害」に対する評価値「４９」）の割合で算出される。すなわち、症状が「更年期障害」のときに漢方薬「加味逍遥散」を単独で処方する場合の事後確率Ｐ（更年期障害｜加味逍遥散）は、
事後確率Ｐ（更年期障害｜加味逍遥散）
＝４９／１２１
＝０．４０
である。
【０１０９】
●漢方薬群が「桂枝茯苓丸」のみの場合
症状が「更年期障害」のときに漢方薬「桂枝茯苓丸」を単独で処方する場合の事後確率Ｐ（更年期障害｜桂枝茯苓丸）は、
確率Ｐ（更年期障害｜桂枝茯苓丸）
＝３３／１０９
＝０．３０
である。
【０１１０】
●漢方薬群が「加味逍遥散」と「桂枝茯苓丸」との組合せの場合
【０１１１】
症状が「更年期障害」である事前確率Ｐ（更年期障害）は、式（１）より、
事前確率Ｐ（更年期障害）
＝８９／８５２
である。
【０１１２】
症状が「更年期障害」でない事前確率Ｐ（ｎｏｔ更年期障害）は、式（２）より、
事前確率Ｐ（ｎｏｔ更年期障害）
＝１−８９／８５２＝７６３／８５２
である。
【０１１３】
症状が「更年期障害」のときに漢方薬「加味逍遥散」が処方される条件付確率Ｐ（加味逍遥散｜更年期障害）は、式（３）より、
条件付確率Ｐ（加味逍遥散｜更年期障害）
＝４９／８９
である。
【０１１４】
症状が「更年期障害」でないときに漢方薬「加味逍遥散」が処方される条件付確率Ｐ（加味逍遥散｜ｎｏｔ更年期障害）は、式（４）より、
条件付確率Ｐ（加味逍遥散｜ｎｏｔ更年期障害）
＝（１２１−４９）／（８５２−８９）
＝７２／７６３
である。
【０１１５】
症状が「更年期障害」のときに漢方薬「桂枝茯苓丸」が処方される条件付確率Ｐ（桂枝茯苓丸｜更年期障害）は、式（３）より、
条件付確率Ｐ（桂枝茯苓丸｜更年期障害）
＝３３／８９
である。
【０１１６】
症状が「更年期障害」でないときに漢方薬「桂枝茯苓丸」が処方される条件付確率Ｐ（桂枝茯苓丸｜ｎｏｔ更年期障害）は、式（４）より、
条件付確率Ｐ（桂枝茯苓丸｜ｎｏｔ更年期障害）
＝（１０９−３３）／（８５２−８９）
＝７６／７６３
である。
【０１１７】
事後確率Ｐ（更年期障害｜加味逍遥散，桂枝茯苓丸）は、式（９）より、
事後確率Ｐ（更年期障害｜加味逍遥散，桂枝茯苓丸）
＝（（８９／８５２）×（４９／８９）×（３３／８９））
／（（８９／８５２）×（４９／８９）×（３３／８９）
＋（７６３／８５２）×（７２／７６３）×（７６／７６３））
＝０．７２
【０１１８】
●数値例の比較
以上の計算結果を比較すると、症状「更年期障害」に対して、漢方薬「加味逍遥散」と「桂枝茯苓丸」とを組み合わせて処方する場合の事後確率Ｐ（更年期障害｜加味逍遥散，桂枝茯苓丸）は、漢方薬「加味逍遥散」を単独で処方する場合の確率Ｐ（更年期障害｜加味逍遥散）や漢方薬「桂枝茯苓丸」を単独で処方する場合の確率Ｐ（更年期障害｜桂枝茯苓丸）よりも大きい。この比較結果は、症状「更年期障害」に対して、漢方薬「加味逍遥散」と「桂枝茯苓丸」とを組み合わせて処方するのが、漢方薬「加味逍遥散」や「桂枝茯苓丸」を単独で処方するよりも有効であることを示している。
【０１１９】
●まとめ●
以上説明した実施の形態によれば、過去の漢方薬の処方の履歴データを用いて漢方薬の処方の不確実性を事後確率として数値で表すことで、漢方薬の処方の不確実性を客観的に比較することができる。すなわち、本発明によれば、数値に基づいて論理的に漢方薬の処方を支援することができる。
【０１２０】
以下、これまで説明した本装置の特徴を、まとめて記載しておく。
【０１２１】
（特徴１）
複数の症状と複数の漢方薬それぞれの対応関係を示す対応情報が記憶される記憶部と、
前記複数の症状の中から選択された特定症状を取得する症状取得部と、
前記特定症状の事前確率と前記特定症状以外の症状の事前確率とを前記対応情報に基づいて算出して前記記憶部に記憶する事前確率算出部と、
前記複数の漢方薬のいずれかの組合せで構成される漢方薬群ごとに、前記特定症状が生起したときに前記漢方薬群を構成するそれぞれの漢方薬が処方される条件付確率と、前記特定症状以外の症状が生起したときに前記漢方薬群を構成するそれぞれの漢方薬が処方される条件付確率と、を前記対応情報に基づいて算出して前記記憶部に記憶する条件付確率算出部と、
前記漢方薬群ごとに、前記記憶部に記憶されている前記事前確率と前記条件付確率とに基づいて事後確率を算出して前記記憶部に記憶する事後確率算出部と、
前記記憶部に記憶されている前記漢方薬群ごとの事後確率のうち所定の条件に該当する所定事後確率を特定し、前記漢方薬群のうち前記所定事後確率に対応する所定漢方薬群を特定し、前記所定漢方薬群を構成する漢方薬のうち所定の条件に該当する所定漢方薬を特定して出力する漢方薬出力部と、
を有してなる、
ことを特徴とする情報処理装置。
【０１２２】
（特徴２）
前記記憶部には、事後確率基準値が記憶され、
前記漢方薬出力部は、前記事後確率と、前記事後確率基準値と、の比較結果に基づいて前記所定事後確率を特定する、
特徴１記載の情報処理装置。
【０１２３】
（特徴３）
前記特定された所定事後確率が複数のとき、
前記漢方薬出力部は、複数の前記所定漢方薬群において頻出する漢方薬を前記所定漢方薬として特定する、
特徴１または２記載の情報処理装置。
【０１２４】
（特徴４）
前記記憶部には、前記漢方薬と前記漢方薬に配合されている生薬との対応関係を示す配合情報が記憶され、
前記配合情報に基づいて前記所定漢方薬に配合されている生薬を特定して出力する生薬出力部、
を備える、
特徴１乃至３のいずれかに記載の情報処理装置。
【０１２５】
（特徴５）
前記生薬出力部は、前記所定漢方薬に配合されている生薬ごとに前記所定漢方薬群を構成する生薬における配合内容を特定し、前記配合内容が所定の条件に該当する生薬を所定生薬として特定し、前記所定生薬の配合内容を出力する、
特徴４記載の情報処理装置。
【０１２６】
（特徴６）
前記記憶部には、配合内容基準値が記憶され、
前記生薬出力部は、特定された前記所定漢方薬に配合されている生薬ごとに前記所定漢方薬群を構成する生薬における配合内容と、前記配合内容基準値と、の比較結果に基づいて、前記所定生薬を特定する、
特徴５記載の情報処理装置。
【０１２７】
（特徴７）
前記生薬出力部が特定する、前記所定漢方薬に配合されている生薬ごとに前記所定漢方薬群を構成する生薬における配合内容は、前記所定漢方薬に配合されている生薬の前記所定漢方薬群を構成する生薬における配合比である、
特徴６記載の情報処理装置。
【０１２８】
（特徴８）
前記生薬出力部が特定する、前記所定漢方薬に配合されている生薬ごとに前記所定漢方薬群を構成する生薬における配合内容は、前記所定漢方薬に配合されている生薬の配合量である、
特徴６記載の情報処理装置。
【０１２９】
（特徴９）
前記生薬出力部は、前記所定漢方薬に配合されている生薬ごとに配合内容を特定し、前記配合内容が所定の条件に該当する生薬を所定生薬として特定し、前記所定漢方薬群における前記所定生薬の配合内容を特定して出力する、
特徴４記載の情報処理装置。
【０１３０】
（特徴１０）
前記記憶部には、配合内容基準値が記憶され、
前記生薬出力部は、特定された前記所定漢方薬に配合されている生薬ごとに配合内容と、前記配合内容基準値、との比較結果に基づいて、前記所定生薬を特定する、
特徴９記載の情報処理装置。
【０１３１】
（特徴１１）
前記生薬出力部が特定する、前記所定漢方薬に配合されている生薬ごとに配合内容は、前記所定漢方薬に配合されている生薬における配合比である、
特徴１０記載の情報処理装置。
【０１３２】
（特徴１２）
前記生薬出力部が特定する、前記所定漢方薬に配合されている生薬ごとに配合内容は、前記所定漢方薬に配合されている生薬における配合量である、
特徴１０記載の情報処理装置。
【符号の説明】
【０１３３】
１  情報処理装置
２  記憶部
３  症状取得部
４  事前確率算出部
５  条件付確率算出部
６  事後確率算出部
７  漢方薬出力部
８  生薬出力部
ＤＢ１  処方履歴データベース
ＤＢ２  症状データベース
ＤＢ３  漢方薬データベース
ＤＢ４  配合データベース
ＤＢ５  生薬データベース
【要約】      （修正有）【課題】論理的に漢方薬の処方を支援することができる情報処理装置を提供する。【解決手段】症状と漢方薬の対応関係を示す対応情報が記憶される記憶部２と、特定症状を取得する手段３と、特定症状の事前確率と特定症状以外の症状の事前確率とを対応情報に基づいて算出する手段４と、複数の漢方薬のいずれかの組合せで構成される漢方薬群毎に、特定症状が生起したときに漢方薬群を構成するそれぞれの漢方薬が処方される条件付確率と特定症状以外の症状が生起したときに漢方薬群を構成するそれぞれの漢方薬が処方される条件付確率とを対応情報に基づいて算出する手段５と、漢方薬群毎に事前確率と条件付確率とに基づいて事後確率を算出する手段６と、漢方薬群毎の事後確率のうち所定の条件に該当する所定事後確率を特定し、所定事後確率に対応する漢方薬群を構成する漢方薬のうち所定の条件に該当する所定漢方薬を特定して出力する手段７と、を有する。【選択図】図１【図１】
0005783587.tif 000016
【図２】
0005783587.tif 000017
【図３】
0005783587.tif 000018
【図４】
0005783587.tif 000019
【図５】
0005783587.tif 000020
【図６】
0005783587.tif 000021
【図７】
0005783587.tif 000022
【図８】
0005783587.tif 000023
【図９】
0005783587.tif 000024
【図１０】
0005783587.tif 000025
【図１１】
0005783587.tif 000026
【図１２】
0005783587.tif 000027
【図１３】
0005783587.tif 000028
【図１４】
0005783587.tif 000029
【図１５】
0005783587.tif 000030
【図１６】
0005783587.tif 000031